(57)【特許請求の範囲】
【請求項１】
左右に長い柔軟な一枚の平板状の板状体のみによって構成され、該平板状の板状体の後方部分の下面には接着層を設け、前記板状体の前方部分は前端が上方へ僅か反り返った弾力性のある接触部とし、前記前方部分を徐々に肉薄にし、肉薄にしたその先端縁を断面が円弧状の摺動部とし、前記平板状の板状体には、前後方向に伸びる１ないし数本の切断線を入れたことを特徴とする塵埃等の落下防止具。
【発明の詳細な説明】
【０００１】
【発明の属する技術分野】
本発明は、家具などの背面に塵埃等が落ちて溜まるのを未然に防止する塵埃等の落下防止具に関する。
【０００２】
【従来の技術】
箪笥、収納庫、収納棚、本箱、食器棚、靴箱、ピアノ、冷蔵庫、流し台、システムキッチン、またはこれに類する物（以下「家具等」という。）は、壁など常設物の面（以下「壁面等」という。）に添わせ、長期間に亘り、例えば数年間もそのままの状態で動かされることなく設置しておかれることが多いが、家具等の背面と壁面等の間の隙間には、設置時間が経過するにつれ段々と塵埃等が溜まってくる。電化製品の背面などには、特に溜まりやすい。そして、家具等を長期間そのまま放置しておくと、コンセントがその近傍に配設されてあれば、差込みプラグの上にも塵埃等が溜まり、その塵埃等により電気回線がショートして発火し、火災の大惨事を招く原因になる。さらにまた、家具等の背面に溜まった塵埃等は、目に見えない形で室内に浮遊し出し、あるいはダニやゴキブリ等の巣になり、そこに暮らす人々にアレルギー反応を生じさせ喘息とかアトピー等の症状を呈させる引き金となる。
【０００３】
叙上の問題に気付いた人は、家具等の背面と壁等の間を掃除し塵埃等が溜まらないようにしようとするが、その間隔は一般に狭いため掃除器具が入りにくく、家具等を動かして広くしようとしてもそれらは概して重量があるために動かしにくく、ましてや地震対策として家具等を背後の壁や柱に固定していたような場合には、それらを動かして掃除などするのは全く不可能なことになる。なお、前記の塵埃等がもたらす害に気付いていない人は、塵埃等が溜まらないようにすることにさえ思い至らないから、右のような塵埃等の落下防止に対しては、次に示すような例を除く外は、一般的には、どのような対策も講じられていないというのが大方の実情である。したがって、この問題は、その解決が各家庭において切に求められながら、効果的な手段が殆ど存在しなかったものといえる。
【０００４】
食器棚、箪笥等の室内設置家具と壁との隙間を塞ぐ先行技術としては、実開平６−３８６９５「隙間目張り部材」がある。このものは図４（ａ）に示すとおり、断面が略Ｍ字形状をした長尺体からなり、中央屈曲部５４と両肩屈曲部５３に弾性屈曲性を持たせ、図４（ｂ）に示すとおり、その弾性を利用し、中央屈曲部５４と両肩屈曲部５３の復元力によって、長尺体の壁部５１が家具５５と壁５６とに密着して固定されるように構成されている。
この「隙間目張り部材」を家具５５と壁５６との間に装着するには、長尺体の壁部５１を互いに近付ける向きに手で押圧し、中央屈曲部５４と両肩屈曲部５３の屈曲度を増させて両壁部５１の間隔を狭めた状態で、それを家具５５と壁５４との隙間に嵌め込み、手を離す。そうすると、長尺体は前述のとおりに固定される。
【０００５】
しかし、この先行技術には次の難点がある。
まず、その製造には、中央屈曲部５４と両肩屈曲部５３に弾性屈曲性を持たせた略Ｍ字形状にしなければならないから、制作コストがかさみ手間もかかる。家具５５と壁５４との間に装着する際には、両壁部５１を手で押圧し、押圧した状態で長尺体を嵌め込むという業者以外の者にとっては容易でない一連の作業が必要となる。次いで長尺体が家具と壁との隙間に十分に嵌め込まれたことを確認してから手を離すようにしなければ、その一部が家具の上面より飛び出したままで固定されてしまって美観を損なうというようなことが起こったり、斜めに固定され空きが生じ家具の幅一杯の目張りができなくなったりするから、手を離す際における長尺体の位置決めにも熟練を要する。
【０００６】
また、家具と壁との隙間の間隔は押圧しないときの両壁部５１の間隔よりも若干狭くなければ装着することが絶対にできず、またＭ字を押し潰したときの厚みよりも若干広くなければ装着することは不可能になるから、装着可能な家具と壁との離隔距離には自ずから構造上の限界がある。すなわち、家具と壁とが離れ過ぎていればこの長尺体は使い物にならず、近過ぎていてもまた使い物にならない。また、家具の裏面と壁の面とが平行になっていない場合には、中央屈曲部５４と両肩屈曲部５３の屈曲度を長尺体の一端と他端とにおいて現場で異ならせることができない構造になっているから、両壁部５１を前記の面に対しその一端と他端とを同一の弾力をもってぴったりと密着させることができない。
さらに、家具の上面と側面の両方を一本の長尺体で目張りしようと試みても、Ｍ字形状では折曲し難いから、二本以上の長尺体を使うしかない。塵などは長尺体のＭ字形状の中央に溜まるから、自然に外方に排除されるということもない。さらにまた、全体がＭ字形状の長尺体であってその長尺の長さを縮めることはできず、長時間に亘ってＭ字を押し潰し弾性屈曲性を劣化させてしまうこともできないから、保管にはスペースを要し運搬その他の取扱も容易にならないものであると認められる。
【０００７】
【発明が解決しようとする課題】
本発明は、上記した先行技術の難点を解決し、保管や運搬等の取扱も容易で、業者のみならず女子供でも簡単に、目張りの空きを生じることもなく、確実にかつ美観を損なわずに装着することができ、家具等と壁面等との隙間の間隔が広いところでも狭いところでも、また、家具等の上面から側面にかけてただ一本の板状体のみによって、それを壁面等または家具等の表面に密着させて家具等の背面と壁面等の間の隙間を塞ぎ、その隙間に落ちてこようとする塵埃等が自然に外方に排出されるようにすることによって、塵埃等を該隙間から完全にシャットアウトできる器具を、極めて安価にかつ手軽に提供することを解決課題としたものである。
【０００８】
【課題を解決するための手段】
家具等と壁面等の隙間を左右に長い一枚の板状体で塞ぐように構成した。そして、その板状体の後方部分の下面に接着層を設け、その接着層により板状体を家具等の表面または壁面等に接着させるようにした。板状体の前方部分を前端が上方へ僅か反り返った弾力性のある接触部として、家具等の表面に接着された板状体の前方部分が壁面等に弾力的に持続的にかつ均一の弾力をもって押しつけられ、その面に向かって伸び上がった形をとって接触するように、または壁面等に接着された板状体の前方部分が家具等の表面に弾力的に持続的にかつ均一の弾力をもって押しつけられ、その面に向かって伸び上がった形をとって接触するようにした。この構成によって、家具等の背面と壁面等との間の隙間に落ちてこようとする塵埃等は、右の隙間に入らず板状体の上に溜まることもなく自然に外方に排出される。
【０００９】
板状体を柔軟な素材で形成し、保管したり運搬したりする際においてロールの形にしたり折り畳んだりできるようにした。
板状体の前方部分は徐々に肉薄にし、肉薄にしたその先端縁に断面が円弧状の摺動部を設けて、板状体の前半部分を家具等の表面または壁面等に押しつけるとき、右の面の上を円滑に摺動しかつ該面にぴったりと弾力をもって接触するようにした。
【００１０】
板状体に、前後方向に伸びる１ないし数本の切断線または折曲線を入れ、家具等の各種のサイズや形状にに即座に対応できるものとした。
【００１１】
【発明の実施の形態】
図１、図２および図３を参照して、本発明の実施の形態を説明する。図１は本発明に係る塵埃等の防止具の一例を示す斜視図である。図２は本発明に係る防止具をロールの形にした斜視図である。図３は本発明に係る防止具の装着例を示し、（ａ）は箪笥の上面に装着したところを表す側面図であり、（ｂ）は箪笥の側面と上面に一本の板状体を連続的に装着したところを表す斜視図である。
【００１２】
板状体１は塩化ビニル樹脂、、ポリエチレン、尿素樹脂等の合成樹脂、合成ゴムまたは天然ゴム等で成型できる。例えば発泡ウレタンにすれば、長い板状体を家具等のサイズに応じた長さに切断するとき、日常使用しているカッターナイフなどで容易に切断することができる。また板状体１の後半部分３をアルミ合金などの金属を含む硬質の材料で形成し、前方部分２を他の弾力性のある材料で形成することもできる。
【００１３】
板状体１の左右方向の長さは、一般家庭で多く見られる家具例えば箪笥の標準的な長さ（その上面の長さ、その側面の長さまたはその上面から側面にかけての長さ）にしておくか、または、所定の限度がない長さにしておき（その場合には図２に示すようなロールの形にしておくと取扱が容易になる）、現場で家具等のサイズや形状に合わせて最適の寸法に切り取って接着できるような長さにする。板状体１の前後方向の幅は、家具等と壁面等の隙間が通常の設置状況において最大になる場合を想定して、その場合においても、板状体１の後方部分３が家具等の表面または壁面等に十分に接着され、かつ前方部分２が壁面等または家具等の表面に向かって伸び上がった形をとって均一の弾力をもって接触できるような長さとする。一般には、６０ｍｍ位にしておけば、各種の家具等に対応できる。
【００１４】
板状体１の前方部分２は前端が上方へ僅か反り返った弾力性のある接触部とするが、要は、家具等を壁面等へ近付けた場合、前方部分２の前端が壁面等または家具等の表面を摺動し、前方部分２が右の面に向かって伸び上がった形をとることができるような形状になっていれば良い。伸び上がった形をとらせることにより前方部分２は壁面等または家具等の表面に対し弾力を以て接触できるようになる。
板状体の後半部分３の下面に設ける接着層４としては、各種の接着剤例えば合成高分子物質、澱粉糊等を断続的にまたは連続的に付着させて形成するが、接着する面すなわち壁面等または家具等の表面の性状を考慮して最適のものを選ぶことが望ましい。接着層４は、図１に示すように数条のものとしてもよいし、図２に示すように１条のものとしてもよく、また、図示したように連続的に設けてもよいし、必要に応じ断続的に設けてもよい。一般的には両面テープなどが好適に用いられるが、接着する対象物が強磁性を有する鉄製の冷蔵庫などの場合には磁化されたテープ等を用い磁力により接着させることも考えられる。
【００１５】
板状体１の後方部分３を折曲しにくい素材で形成するときは、複数枚を重ねた状態で保管したり運搬したりできる形にする。板状体１を全体的に柔軟な素材で形成するときは、図２に示すように一枚の板状体１をロールの形にし、または幾重にも折り畳んだ状態で、保管したり運搬したりできる形にする。
板状体１の前方部分２が徐々に肉薄になるように形成しておけば、前方部分２が壁面等または家具等の表面に押しつけられるときその部分が一層上方へ反り返り易くなる。また、肉薄にした前方部分２の先端縁に断面が円弧状の摺動部５を設けると、前方部分２が壁面等または家具等に押しつけられるとき、その面の上をより一層摺動し易くなり、その面に向かってよりさらに一層伸び上がった形をとり易くなる。したがって、肉薄の形状や摺動部５の形状は、右の点を考慮して定める。図１には断面が球状の摺動部５を連続的に設けたものが図示されているが、押しつける面の状況に応じ、それを断続的に設けることもできる。
【００１６】
板状体１に、前後方向に伸びる１ないし数本の切断線または折曲線を入れる。切断線または折曲線は、主に所定の限度がない長さの板状体１を家具等のサイズや形状に適応させて切断または折曲するガイドとするためのものであるから、板状体１の表面に切断または折曲の位置を示す実線や点線６等を描いたり、ミシンメ８、溝ないし切り込み７等を刻設したりすることにより形成する。鋏などの切断用具を用いることなく切断できるようにするためには、ミシン目、溝ないし切り込み等が有効である。特に、折曲線については、板状体１を例えば家具等の上面から側面にかけて連続的に接着するときその屈曲部（例えば家具等の上部の角）の位置を示すためのものであるから、板状体１が屈曲しにくい素材のものである場合には、浅い溝ないし浅い切り込み等とすることが望ましい。
【００１７】
前記屈曲部（例えば家具等の上部の角）において、前方部分２が壁面等または家具等の表面に押しつけられるとき、前方部分２の前端縁が十分に伸長せず、その部の接触が完全なものとならないような場合には、図１に例示したように、前方部分２の前端縁から内方へ向けて深い溝ないし深い切り込み等よりなる一部切断線９を途中まで入れておき、その部分だけを容易に切り離せるようにし、折曲線の他の部分については折曲用のミシン目または浅い溝ないし浅い切り込みを刻設し、あるいは、板状体１が屈曲しやすい素材のものである場合には、一部切断線９をミシン目とし、他の部分については実線や点線等を描いておく、とすることもできる。
切断線または折曲線の相互の間隔は、一般家庭で多く見られる数種類の家具例えば数種のサイズを持つ箪笥の標準的な長さ（その上面の長さ、その側面の長さまたはその上面から側面にかけての長さ）に適合した数種類の長さを表すものにしておくか、または、例えば板状体１の全長に亘って一定の長さ例えば１０ｃｍ間隔の位置を表すものとするか、前記標準的な長さの近傍だけを例えば１ｃｍ間隔とするかなど、装着が予定される家具等のサイズや形状その他を考慮して使用勝手が良いものとする。
【００１８】
叙上のとおりに製造された塵埃等の落下防止具の装着例を説明する。
壁面等に対して家具等を寄せ付けて設置するとき、これは引っ越し業者などによって行われることが多いが、家具等を壁面等に寄せ付ける前の時点において、板状体１の後方部分３を家具等の上面、側面または側面から上面を経て他の側面へかけて接着する。その際板状体１の前方部分２は、予想される隙間を十分に越える長さだけ家具等の背面より外方へ突出させておく。
【００１９】
その後に、防止具を接着した家具等を壁面等に対して寄せ付けると、その作業だけで、板状体１の前方部分２は、その先端が上方へ僅か反り返った形状をしているから、先端縁が壁面等の面の上を摺動し、壁面等に向かって伸び上がった形をとりその面に対し弾力をもって接触する。なお、板状体１の後方部分３を家具等の側面から上面を経て他の側面へかけて接着するような場合に、前方部分２の前端縁が十分に伸長せずに、その部の接触が完全にできないようなときは、家具等を寄せ付ける前または寄せ付けた後において、前方部分２の前端縁から内方へ向けて設けられたミシン目または深い溝ないし深い切り込み等よりなる一部切断線９により途中まで切り離すようにすれば、その部の接触を完全なものにすることができる。
【００２０】
壁面等に対して既に家具等が寄せ付けてあり動かし難いときは、次のようにして装着する。このときは、板状体１の後方部分３を家具等の表面に接着する場合と壁面等に接着する場合との二通りのやり方がある。
板状体１の後方部分３を家具等の表面に接着する場合には、本発明の防止具を、板状体１の前方部分２を先ず壁面等に押しつけてそれが壁面等に向かって伸び上がった形をとるように位置させ、次いで後方部分３を家具等の表面に押しつけて接着する。接着層４として両面テープが設けられているときは、ロールの形にした防止具を例えば家具等の上面の一端に載せて、前方部分２を壁面等に押しつけながら、テープの保護シートを剥がしながら、ロールを巻き戻し、後方部分３を家具等の表面に押しつけて接着する。
【００２１】
板状体１の後方部分３を壁面等に接着する場合には、本発明の防止具を、前方部分２を家具等の表面に押しつけそれが右表面に向かって伸び上がった形をとるように位置させてから、後方部分３を壁面等に押しつけて接着する。二枚の板状体を用いて家具等の上部と側部の隙間を塞ぐときには、まず上述のようにして板状体１を家具等の側部の隙間に装着してから、その後に上部の隙間に接着するようにした方が良い。その逆であると、上部の防止具と側部の防止具との接合部分（例えば箪笥の上の角にあたる部分）に空きが生じ、上方から降下する塵埃等はその空きを潜り抜けて家具等の背面と壁面等との隙間に入り込んでしまう恐れが大になるからである。
【００２２】
【発明の効果】
本発明の防止具は、左右に長い一枚の板状体で形成されてあるため、制作コストがかからず手軽に製造できる。
板状体の前方部分を前端が上方へ僅か反り返った弾力性のある接触部とし、かつ該板状体の後方部分の下面には接着層を設けてあるから、家具等と壁面等との隙間の間隔が広いときは、後方部分の接着層を例えば家具等の背面に近い表面に位置させて接着し、隙間の間隔が狭いときは、家具等の背面から離れた遠い表面に位置させて接着することができるから、装着可能な家具等と壁面等との離隔間隔には構造に起因して生じる限界がない。すなわち、隙間が広くても狭くても接着位置を変えるだけで直ちに対応できる。また、家具等の裏面と壁面等が平行になっていない場合であっても、接着層の接着位置をずらせて（例えば、家具等の背面より外方へ突出させる前方部分２の長さが、板状体の一端と他端とにおいて異なるように板状体を家具等の表面に位置させてから）、後方部分を接着させれば、接触部を（壁面等に対し）ぴったりと均一の弾力をもって接触させることができる。
【００２３】
また、上述のとおり、本発明の防止具は、後方部分の接着層を適宜の位置に接着させるという作業だけで良いから、熟練を必要とせず女子供でも簡単に、目張りの空きを生じさせずに確実にかつ美観を損なわずに装着することができる。
板状体の前方部分を前端が上方へ僅か反り返った弾力性のある接触部として、板状体の前方部分が壁面等に、あるいは壁面等に接着された板状体の前方部分が家具等の表面に弾力的に押しつけられ、その面に向かって伸び上がった形をとって接触するようにしたから、その接触部は、右の面に弾力をもってぴったり押しつけられる。したがって、家具等が多少移動したり、少し位置が変わったりしても、塵埃等の入り込む隙間の生じることがない。また、壁面等または家具等の表面に向かって伸び上がった形をとって接触することにより、家具等の背面と壁面等との間の隙間に落ちてこようとする塵埃等は、防止具の上に溜まらないで自然に外方へ排除されるようになる。
【００２４】
板状体の前方部分が弾力的に押しつけられ伸び上がった形をとって接触するという前述の機能は、板状体の前方部分を徐々に肉薄にし、肉薄にしたその先端縁に断面が円弧状の摺動部を設けたことによって、さらに増強されている。すなわち、前端が上方へ僅か反り返った前方部分は、先端に近付くに従い上方へ向かって屈曲しやすくなり、しかもその先端縁には断面が円弧状の摺動部が設けられてあるために、壁面等または家具等の表面の接触面上を一層円滑に摺動する。
【００２５】
また、板状体は多数枚を重ねた状態で長時間保管しておいても弾性を劣化させることがなく、柔軟な素材で形成すれば、ロールの形にしたり折り畳んだりしてこくことができるから、コンパクトな形になり保管スペースを取らず、運搬その他の取扱も簡単である。接着層を両面テープにしたときは、使用前は図２に示すようなロールの形に、または折り畳んでおき、使用時に粘着層の表面を覆う保護テープを剥がしながら巻き戻し、または伸張させて使用することができるから、一層使い勝手の良いものとなる。
さらに、本発明の塵埃等の落下防止具は、全体が板状体となっているから、その表面に家具等、壁面等の色彩にマッチした相柄や色などを施したり、または室内装飾の一部となる模様、図柄を施したりすることが極めて容易になり、室内の美観を増進させることができる。
【００２６】
板状体には１ないし数本の切断線または折曲線を入れてあるから、例えば、引越しをする場合には、ロールの形にした防止具を家具と共に運んで行き、引越し先の家において家具の設置場所を確かめてから、それに適した長さに切断したり、その家具の形状に併せて折曲したりして装着することが可能となる。また、家具等の上面と側面の両方を一本の板状体で連続的に目張りすることもできる。
家具等がすでに設置されている場合においても、例えば、ロールの形にした防止具をを購入してきて、それを家具等の表面または壁面等に載置し、板状体の前方部分が家具等の表面に弾力的に押しつけられてその面に向かって伸び上がった形をとって接触するように位置決めした後、接着層の両面テープの表面の保護シートを剥がしながら、目張りしようとする隙間に沿ってロールを巻き戻し、最後に接着層を板状体の上から押さえ付けておけば、その接着は一層確実なものになる、というような簡単な作業により、塵埃等を家具等と壁面等との隙間から完全にシャットアウトすることができる。
【図面の簡単な説明】
【図１】本発明に係る塵埃等の落下防止具の一例を示す斜視図である。
【図２】本発明に係る塵埃等の落下防止具をロールの形にした例を示す斜視図である。
【図３】本発明に係る塵埃等の落下防止具の装着例を示し、（ａ）は箪笥の上面に装着したところを表す側面図、（ｂ）は箪笥の側面と上面に一本の板状体を連続的に装着したところを表す斜視図である。
【図４】本発明の先行技術である「隙間目張り部材」を示し、（ａ）はその斜視図、（ｂ）はそれを装着したところを表す側面図である。
【符号の説明】
１      板状体
２      板状体の前方部分
３      板状体の後方部分
４      接着層
５      前方部分の先端縁の摺動部
６      実線または点線
７      溝ないし切り込み
８      ミシン目
９      一部切断線
【図１】
0003864332.tif 000002
【図２】
0003864332.tif 000003
【図３】
0003864332.tif 000004
【図４】
0003864332.tif 000005